(57)【要約】【課題】台板に接着する基部及び台板との間で書類を挟持する保持部とから成る書類保持板を台板に係着して形成したものは、書類を挟持する機能を有するが、読み終わった次の書類上へ、目印のための付箋がページを捲るごとに移動できる機能は有しない。【解決手段】ファイル具に書類を綴じて、読み終わった次のページに目印のための付箋が、ページを捲るごとに移動できる機能を、厚紙又は合成樹脂板等の台板で形成されたファイル具の側縁部に、付箋機能を有する舌部を設けたことで実現した。【選択図】  図１
2006103296.tif 000002
【特許請求の範囲】
【請求項１】
書類を綴じるための台板で形成されたファイル具の側縁部に、付箋機能を有する舌部を設けたことを特徴とする書類ファイル。
【請求項２】
該舌部は、下端に円弧を有する略ｖ字形に形成し、かつ上端には台板の一辺に平行な複数個の屈曲促進加工を施したことを特徴とする請求項１に係わる書類ファイル。
【請求項３】
該舌部は、台板の側縁部を加工して形成した請求項１および請求項２に係わる書類ファイル。
【請求項４】
該台板は、合成樹脂板の帯電防止性を有する材料で製作されたことを特徴とする請求項１および請求項２に係わる書類ファイル。
【発明の詳細な説明】
【技術分野】
【０００１】  本発明は、厚紙又は合成樹脂板等で製作された台板に、付箋機能を有する舌部を設けた書類ファイルに関するものである。
【背景技術】
【０００２】    書類を綴じるための台板で形成されたファイル具の側縁部に、舌部を設けた従来の技術として、特許文献１があったので、図４により説明すると、厚紙又は合成樹脂板等の台板を２つ折りにして成るファイル１の内面側に書類保持板１５を設けたもので、台板１１に接着する基部１６及び台板１１との間で書類を挟持する保持部１７とから成る書類保持板１５を台板１１に係着して形成している。【０００３】
【特許文献１】  特開平０８−１０４０９０号公報
【発明の開示】
【発明が解決しようとする課題】
【０００４】  しかし、上記従来の技術にあっては、台板に接着する基部及び台板との間で書類を挟持する保持部とから成る書類保持板を台板に係着して形成したもので、書類を挟持する機能を有するが、読み終わった次の書類ページ上へ、目印のための付箋がページを捲るごとに移動できる機能は有しない課題がある。
【課題を解決するための手段】
【０００５】本発明は、上記課題を解決するため次のような手段を有する、
書類を綴じるための台板で形成されたファイル具の側縁部に、付箋機能を有する舌部を設けた。また、該舌部は、下端に円弧を有する略ｖ字形に形成し、かつ上端には台板の一辺に平行な複数個の屈曲促進加工を施した。また、該舌部は、台板の側縁部を加工して形成した。また、該台板は、紙又は合成樹脂板の帯電防止性を有する材料で製作した。
【発明の効果】
【０００６】    以上説明したように本発明の書類ファイルは、書類を綴じるための台板で形成されたファイル具の側縁部に、付箋機能を有する舌部を設けたので、読み終わった次のページに目印のための舌部が、ページを捲るごとに移動でき、次回書類を開くときのページ検索は容易になる。
また、舌部は、台板の側縁部を加工して形成したので安価に製造できる。
また、台板は合成樹脂板の帯電防止性を有する材料で製作したので、静電気による塵埃の付着も防げる。
【発明を実施するための最良の形態】
【０００７】  ファイル具に書類を綴じて、読み終わった次のページに目印のための付箋が、ページを捲ごとに移動できる機能を、台板で形成されたファイル具の側縁部に、付箋機能を有する舌部を設けたことで実現した。
【実施例１】
【０００８】    以下、添付図面を基に本発明の実施例を説明すると、図１（ａ）は、本発明の実施例１の実使用状態を示す正面図であり、図１（ｂ）は、図１（ａ）の（ｄ）−（ｄ）線より断面した側面図、図１（ｃ）は、図１（ｂ）を１部切り欠いた使用状態を示す側面図である。１は、ファイル具であり厚さ０．２ｍｍ程度の半透明のポリプロピレンや塩化ビニール樹脂の縦長の台板１１を折り曲げ部１０から２つ折りにして、表紙８と裏表紙４とに成し、互いに重なりあった左側辺の接合部９を超音波溶着等で接合して形成する。２は、このファイル具１の上側縁部に台板１１の裏表紙４の側縁部を打ち抜き加工して下端に円弧を有し両側部に傾斜を有する略ｖ字形に形成した舌部で、上端には台板１１の上側の一辺に平行な複数個の屈曲促進加工３を施している、この屈曲促進加工は、台板１１の板厚を減少するような圧縮加工を施して、外部からの屈曲圧力を受けて他の部分より先に曲がり、また曲がり癖が付きやすいように加工したものである、７は、表紙８と裏表紙４との間にセットされた書類で、図２（ｂ）に示すように上端部は前期舌部２の裏面に収めてある、５、６は裏表紙４の右側縁部に一体で形成した見出し部と書類７のページを捲リ易くするための半円形をした切り欠き部である。【０００９】  次に図１、より作用を説明すると、表紙８と裏表紙４との間にセットされた書類７のページを捲リ始めると、書類７の上端が舌２部の傾斜辺を摺動して、この舌部２を上方に押し上げた後、下端の円弧より外れる、つぎに、この舌部２は弾性で元の形状に復帰し、読み終わった次のページの書類上へ図１（ｃ）に示すように移動できる、この舌部２は目印のための付箋作用があり、書類７の次に読むときのページ検索が便利に行える書類ファイルを実現できる。
また、台板１１は合成樹脂板の帯電防止性を有する即ち表面固有抵抗の小さな材料で製作したので、静電気による塵埃の付着も防げる。【００１０】  次に、図２（ａ）、図２（ｂ）により、実施例２を説明すると、図２（ａ）は、本発明の実施例２の実使用状態を示す正面図であり、図２（ｂ）は、図２（ａ）の（ｅ）−（ｅ）線より断面した側面図である、横長の台板１１を折り曲げ部１０から２つ折りにして、表紙８と裏表紙４とに成し、裏表紙４には実施例１と同様の舌部２と見出し部５と書類７のページを捲リ易くするための半円形をした切り欠き部６を設ける、左端部には書類７を綴じる為の孔１３，１３ヲ穿設している、１４は薄い板金製の止め金具である。
この止め金具１４で孔１３のあいた書類７を台板１１に綴じたあと、舌部２を書類７の上端面にセットして準備は完了する、書類７を捲ることにより実施例１と同様の作用効果が得られる。【００１１】  次に、図３（ａ）、図３（ｂ）により、実施例３を説明すると、図３（ａ）は、第３実施例の実使用状態を示す正面図であり、図３（ｂ）は、図３（ａ）の（ｆ）−（ｆ）線より断面した側面図である、横長の台板１１を折り曲げ部１０から２つ折りにして、表紙８と裏表紙４とに成し、互いに重なりあった下側辺の接合部９を超音波溶着等で接合してこのファイル具を形成する、２は、このファイル具１の右側縁部に台板１１の裏表紙４の側縁部を延在して、下端に円弧を有し両側部に傾斜を有する略ｖ字形に打ち抜き加工して形成した舌部でこの舌部２の根元には、台板１１の右側の一辺に平行な複数個の屈曲促進加工３を施すとともに、この屈曲促進加工３に平行にＵ字状の曲げ加工をしている、他の部分は実施例１と同じ構成である。書類７は、表紙８と裏表紙４との間にセットされ右端部は舌部２の裏面に収めてある、書類７のページを捲リ始めると、書類７の右端が舌２部の下面を摺動して、左端の円弧より外れる、次に、この舌部２は弾性で元の形状に復帰し読み終わった次のページの書類上へ図３（ｂ）に示すように移動できる、実施例１と同じ書類７のページ検索が便利に行える書類ファイルを実現できる。
【産業上の利用可能性】
【００１２】  ファイル具に書類を綴じて、読み終わった次のページに目印のための付箋が、ページを捲ごとに移動できる機能を、台板で形成されたファイル具の側縁部に、付箋機能を有する舌部を設けたことで一般に使用されるファイル具に利用できる。
【図面の簡単な説明】
【図１】  実施例１の構成と実使用状態示をした図であり図１（ａ）は正面図、図１（ｂ）は、図１（ａ）の（ｄ）−（ｄ）線より断面した側面図、図１（ｃ）は、図１（ｂ）を１部切り欠いた使用状態を示す側面図である。
【図２】  実施例２の構成と実使用状態示をした図であり図２（ａ）は正面図、（ｂ）は、図２（ａ）の（ｄ）−（ｄ）線より断面した側面図である。
【図３】  実施例３の構成と実使用状態示をした図であり図３（ａ）は正面図、図３（ｂ）は、図３（ａ）の（ｄ）−（ｄ）線より断面した側面図である。
【図４】  従来例の構成と実施方法を示した説明図である
【符号の説明】
１  ファイル具、２  舌部、３  屈曲促進加工、４  裏表紙、５  見出し部、６  切り欠き部  ７  書類、８  表紙、１０  折り曲げ部、１１  台板。
【図１】
2006103296.tif 000003
【図２】
2006103296.tif 000004
【図３】
2006103296.tif 000005
【図４】
2006103296.tif 000006